(57)【要約】【課題】使用中にへらの先端が焦げの表面を滑っても、フライパンなどの鍋の周側面を傷付けにくく、かつ鍋の内面全域に付着した焦げや焼きカスを、順次へらの外へ排出しながら、効率良くかつ容易にそぎ落とせる清掃具を提供する。【解決手段】柄の先端部に片持ち状態で固定されたへらの先端が、へらの幅方向を基準として所定角度傾斜し、またへらの先部が、へらの先端と平行な屈曲線を中心にして内方へ屈曲している。そのため、使用中にへらの先端が焦げの表面を滑っても、フライパンなどの鍋の周側面を傷付けにくく、かつ鍋の内面全域に付着した焦げや焼きカスを、順次へらの外へ排出しながら、効率良くかつ容易にこそぎ落とすことができる。【選択図】図１
2015205031.tif 000002
【特許請求の範囲】
【請求項１】
柄の先端部にへらを設けた清掃具において、
前記へらの先端は、該へらの幅方向を基準として一直線に傾斜し、
該へらの先部が、前記へらの先端と平行な屈曲線を中心にして内方へ屈曲した清掃具。
【請求項２】
前記柄と前記へらとは、該へらの長さ方向に竹繊維の長さ方向を揃えた１本の竹材から一体的に形成され、
前記へらの先部には、前記へらの先端から前記竹繊維に沿って延びた複数のスリットが、前記へらの幅方向に向かって所定ピッチで形成された請求項１に記載の清掃具。
【請求項３】
請求項２の清掃具の柄に第１の嵌合部を設けた第１の清掃具と、
前記第１の嵌合部に着脱自在に嵌合される第２の嵌合部を有し、かつ請求項２の清掃具のへらの先部に、山谷が連続する山切りカット部を設けた第２の清掃具とを備え、
前記第１の嵌合部と前記第２の嵌合部とを嵌合することで、平行に重なる互いのへらの間に隙間をあけて、前記第１の清掃具の内側に前記第２の清掃具が連結される清掃具ユニット。
【発明の詳細な説明】
【技術分野】
【０００１】
この発明は、フライパンなどの鍋に付着した焦げ、焼きカスまた金属板面の錆などを剥離する清掃具および清掃具ユニットに関する。
【背景技術】
【０００２】
肉や魚をフライパンにより加熱調理（焼き物、炒め物）した後には、その底面に焦げ、焼きカス、ごみなどが付着し易い。また、深鍋を使って野菜などを煮る際に、誤って食材を焦がしたときも同様である。
従来、このような焦げや焼きカスなどの頑固な汚れを除去する道具として、例えば特許文献１に記載された「剥離用へら」が知られている。これは、先端が一直線に斜めカットされた平坦な金属板片からなるへら本体と、これが固定される柄とを備え、へら本体の自由端（先端）に、硬質素材からなる刃先部がＲ面とり（丸く面とり）された刃を固定したものである。刃は平面視して矩形状の厚肉な板片である。したがって、刃先はへら本体の傾斜した先端と平行に配置されている。
【０００３】
「剥離用へら」の使用時には、傾斜した刃先をフライパンや深鍋の底面の焦げや焼きカスに押し当て、握った柄を前方（身体から離れる方向）へ押し出すことで汚れをこそぎ落とす。このとき、刃先がＲ面とりされているため、フライパンなどの底面に傷を付けず、滑かな切れ味で焦げなどを剥がす（削り落とす）ことができる。
【先行技術文献】
【特許文献】
【０００４】
【特許文献１】特開平９−２３９８８号公報
【発明の概要】
【発明が解決しようとする課題】
【０００５】
しかしながら、特許文献１に記載の「剥離用へら」は、このように握った柄を前方へ押し出すことで汚れをこそぎ落としていた。しかも、傾斜した刃先にＲ面とりが施されていたため、堅い焦げの表面上で刃先が滑り易く、滑った場合には硬質素材からなる刃先部のうちで最も尖った頂上部分が、フライパンや深鍋の内側面に衝突し、この面に傷を付ける頻度が高かった。
【０００６】
そこで、発明者は鋭意研究の結果、へらの幅方向（へらの幅方向に延びる線）を基準としてへらの先端を傾斜させ、かつ、柄を手元に引いて汚れを除去できるように、へらの先部を、その先端と平行な屈曲線を中心にして内方へ屈曲させれば、上述した問題はすべて解消されることを知見し、この発明を完成させた。
【０００７】
すなわち、この発明は、使用中にへらの先端が焦げの表面を滑っても、フライパンや鍋などの周側面（表面）を傷付けにくく、かつその内面の一部または全域に付着した焦げや焼きカスを、順次へらの外へ排出しながら、効率良くかつ容易にこそぎ落とすことができる清掃具を提供することを目的としている。
また、この発明は、２種のへらを用いてこそぎ落とし作業の分担を行うことで、堅い焦げ（強固に付着したこげ）でも鍋の内面から容易にこそぎ落とすことができる清掃具ユニットを提供することを目的としている。
【課題を解決するための手段】
【０００８】
請求項１に記載の発明は、柄の先端部にへらを設けた清掃具において、前記へらの先端は、該へらの幅方向を基準として一直線に傾斜し、該へらの先部が、前記へらの先端と平行な屈曲線を中心にして内方へ屈曲した清掃具である。
【０００９】
ここでいう「清掃具」とは、フライパンや深鍋などの鍋に付着した焦げ、焼きカス、家具に付着したごみなどの異物による汚れ（汚物）をこそぎ落とすために使用されるへら付きの掃除用具である。または、その他の機器、機材などに強固に付着した汚れをかき落とす掃除用具である。
柄は、へらの取り付け基台となる把持部材（グリップ）である。柄は、例えば棒材、軸材、または短冊状であって、一定の長さを有し、その長さ方向を清掃具の長さ方向に揃えている。
柄の素材としては、例えば竹を含む各種の木、各種の金属、各種のプラスチック、各種のセラミックスなどを採用することができる。柄の形状やサイズは任意である。
【００１０】
へらは薄肉で扁平な板材（平面視して矩形またはほぼ矩形の板材）である。へらは、その長さ方向を清掃具（柄）の長さ方向に揃えている。ここで、へらの表面とは使用時に鍋に押し付けられる側（鍋面に対向する側）の面である。また、へらの裏面（使用時は背面となる）とは、それとは反対側の面である。
へらの幅方向とは、へらを平面視した際、細長いへらの長さ方向に直交する方向である。または、所定長さを有するへらの表面（裏面）を基準として、この面の長さ方向に直交する方向である。
へらの素材としては、例えば柄の素材として挙げたものを採用することができる。柄の素材とへらの素材とは同一であっても、異なっていてもよい。素材が同一の場合、柄とへらとを一体的に形成してもよい。
へらのサイズは任意である。例えば、へらの長さは２〜５ｃｍ、へらの幅は指によりへらの先部を押さえ易い２〜３ｃｍが好ましい。
【００１１】
へらの先部（刃先）は、へら使用時その裏面に添えた指から加えた力により、へらの内外方へ弾性変形する程度の剛性を有した方が好ましい。ここでいう「へらの内方」とは、へらの裏面をテーブルに密着させて載置し、このへらを平面視した際、へらの表面（へらの上面）から立ち上がる方向（上方向）をいう。
また、へらの先端は鋭利とした方が好ましい。ここでいう「へらの先端が鋭利」とは、例えば、へらの先端全体が刃物の刃先ようにうすくなって尖った状態をいう。その他、へらの先端の一部、例えばへらの先端部を板材の切断によって形成した際、切断面（へらの先端面）のエッジ部分が鋭利な状態でもよい。
平面視してへらの先端の傾斜角度（幅方向の直線に対しての先端直線の交差角度）は任意であるものの、例えば、へらの幅方向を基準として３０°〜６０°である。この範囲を逸脱すれば、フライパンなどの鍋の周側面や、鍋の底面と周側面との間の湾曲した立ち上がり部分に、へらの先端を密着させにくい。
【００１２】
ここでいう「へらの先部の屈曲」とは、（仮想の）屈曲線が頂上ラインとして現出する折り曲げだけでなく、この頂上ラインが明確に現出しない湾曲（折り曲がり部分が丸面とりされた屈曲）をも含む。要は、薄い板であるへら（本体）をその背面をテーブル面に密着して載置したとき、正面視するとへらの先端がへら本体から起きあがる（立ち上がる）ように屈曲または折り曲げられていることが必要である。
へらの先部の屈曲角度は任意である。例えば、へら本体からへら先部が、面と面との交差として捉えた場合、屈曲線を中心として、へらの内方へ３０°〜６０°である。３０°未満では、へらの先部の曲がりが小さすぎて、清掃具の使用時、堅い焦げの表面上でへらの先端が滑るおそれがある。また、６０°を超えれば、へらの先部が内方へ曲がりすぎて、清掃具の使用時、へらが素材の降伏点を超えて曲げられ、塑性変形するおそれがある。また、使用しづらい。このへらの先部の好適な屈曲角度は３０°〜４０°である。この屈曲したへら先端部分の長さ（へら本体の長さ方向のへら先端の長さ）は任意であるが、例えば５ｍｍ〜１５ｍｍが適切である。なお、へらの先部には屈曲させたが、加えてねじり加工を施してもよい。すなわち、へらの先部の幅方向で手前側の屈曲角度（起立角度）を大きくし、奥側のそれを手前側に比較して小さくすることにより、へらの先部がわずかにねじれた形状とするものである。このねじりにより、使用時、鍋の湾曲面に対するへらの密着性が高まり、使い勝手がよくなる。
【００１３】
請求項２に記載の発明は、前記柄と前記へらとは、該へらの長さ方向に竹繊維の長さ方向を揃えた１本の竹材から一体的に形成され、前記へらの先部には、前記へらの先端から前記竹繊維に沿って延びた複数のスリットが、前記へらの幅方向に向かって所定ピッチで形成された請求項１に記載の清掃具である。
【００１４】
竹の種類は限定されない。例えば、孟宗竹、真竹、破竹などを採用することができる。
柄とへらとの長さの割合は任意であり、例えば６：１〜２：１である。
へらの厚さは、竹製のへらとしての適度な弾性力が得られる２〜３ｍｍが好ましい。
スリットの本数は、２本以上であれば任意である。スリットの深さ（長さ）はへらの先部の長さの半分程度または全長とすることもできる。また、スリットの形成ピッチは、例えば一定とすることもできる。この場合、例えば０．５〜５ｍｍである。０．５ｍｍ未満ではへらの先部の分割幅が短すぎて、使用中に折れるおそれがある。また、５ｍｍを越えると、へらの先部の分割幅が長すぎて、清掃具の使用時、へらの先部が弾性変形しにくい。なお、スリットの好適な形成ピッチは１〜２ｍｍである。
へらの先部は、へらの先端と平行な屈曲線を中心にして内方へ屈曲している。また、各スリットは、へらの屈曲に伴ってへらの先端から斜め上方に延びる竹繊維に沿って延びる。そのため、各スリットの形成面（スリット形成により現出した左右のへき開面）は、屈曲線の傾斜角度に応じてねじれ角が変更されるねじれ面となる。したがって、使用時、柄をへらの長さ方向に沿って手元に引けば、鍋に付着した焦げなどは、へらの先端だけでなく、各スリットのねじれた内側のエッジ部分でもそぎ落とされる。スリットにより複数部分に分割されており、各部分は独立した動きができ、作業対象面を傷つけることなく、こげを除去できる。なお、複数部分からなるへら先端は個別に弾性変形する。
【００１５】
請求項３に記載の発明は、請求項２の清掃具の柄に第１の嵌合部を設けた第１の清掃具と、前記第１の嵌合部に着脱自在に嵌合される第２の嵌合部を有し、かつ請求項２の清掃具のへらの先部に、山谷が連続する山切りカット部を設けた第２の清掃具とを備え、前記第１の嵌合部と前記第２の嵌合部とを嵌合することで、平行に重なる互いのへらの間に隙間をあけて、前記第１の清掃具の内側に前記第２の清掃具が連結される清掃具ユニットである。
すなわち、第１の清掃具は、竹製の柄とへらとから構成され、へらの先部がへらの基部（または短冊状の柄の場合はその表面）に対して幅方向から所定角度だけ斜めの線を基準としてかつ所定角度で屈曲している（立ち上がっている）。また、へらの先端はその幅線に対して所定角度で斜めにカットされている。さらに、このへら先端にはその繊維方向に延びる所定本数のスリット（切れ目）が形成されている。そして、第１の清掃具の、当該柄の部分に第１の嵌合部を形成してある。
また、第２の清掃具は、第１の清掃具とほぼ同じ形状サイズであって、つまり同じく竹製の柄とへらとが一体であって、柄に第２の嵌合部を形成してある点が異なる。この場合、第１、第２の嵌合部同士を嵌合することで、第１、第２の清掃具を重ね合わせた構成とする。第２の清掃具のへら先端が第１の清掃具のへら先端よりも所定間隔（例えば１ｃｍ程度）だけ前方に突出した、いわゆる２枚刃の構成となっている。また、第１、第２の清掃具にあって、そのへらの先部の形状については、同一構成でもよく、異なる構成でもよい。へら先が異なる形状で構成した場合、使用時手元に引く場合その内側となる清掃具に山谷カットで谷部にスリット付きを、その外側にはスリットのみを有するが直線刃をそれぞれ配設してある。この結果、山谷カットでまずラフにこそぎ、次に直線刃で完全にこそぎ落とすことができる。異なる構成の２枚刃で、強く固着した異物をフライパン面から弱い力でもこそぎ落とすことができる。
【００１６】
第１の嵌合部と第２の嵌合部とは、いずれか一方が凸側であれば、残りの他方が凹側のとすることができる。また、嵌合形状も任意である。
山切りカット部の山谷は、へらの先端の長さ方向に沿って連続する。
谷の深さ（山の高さ）は、例えば１〜５ｍｍである。１ｍｍ未満では山の高さが低すぎて堅い焦げの表面に筋を入れにくい。また、５ｍｍを超えれば山が高すぎて山頂部分が欠け易くなる。谷の好適な深さは２〜３ｍｍである。また、山谷の形成ピッチは２〜１０ｍｍである。２ｍｍ未満では山幅が狭くなって山頂部分が欠け易くなり、また１０ｍｍを超えれば、山谷の形成数が著しく減少する。
第１の清掃具と第２の清掃具との連結時、互いのへらの間に現出する隙間の大きさは、例えば０．５〜５ｍｍである。０．５ｍｍ未満では、へら同士が近すぎて第１の清掃具の山切りカット部により削られたカスが、へらの間に詰まり易い。また、１０ｍｍを超えれば、へら間が遠すぎて、鍋の内面上での清掃具ユニットの移動経路によっては、山切りカット部により削られた（筋入れされた）焦げの箇所を、第２の清掃具のへらにより掻き取れない場合が生じる。
【発明の効果】
【００１７】
請求項１に記載の清掃具によれば、運動機能学から人間の手を考察した際、本発明のように柄を手元に引く動作時の方が、従来のように柄を前方へ押し出す動作時に比べて、瞬間的な手や指の力の制御が容易となる。そのため、仮にフライパンなどの鍋の底面に付着した焦げの表面上でへらの先端が滑っても、この先端がフライパンなどの鍋の内側面に衝突する直前にその移動を止め易い。その結果、汚れの除去中、鍋の周側面をへらによって傷付けにくい。
【００１８】
また、へらの先端がへらの幅方向を基準として傾斜し、かつへらの先部がへらの先端と平行な屈曲線を中心にして内方へ屈曲しているため、フライパンなどの鍋の平坦な底面だけでなく、鍋の周側面や、この底面と周側面との間の湾曲した立ち上がり部分にも、へらの先端を密着させ易い。その結果、この立ち上げ部分を含め、鍋の内面の全域に付着した焦げや焼きカスを、容易にこそぎ落とすことができる。また、先端が傾斜したへらの先部が内方へ屈曲しているため、使用中に掻き取られた汚物は、順次、へらの先端部の内面にガイドされて、へらの先端の頂上部分から外方へ排出される。これにより、へらの内側空間に汚物が溜まりにくくなり、長時間連続して汚れの除去作業を行うことができる。さらに、へらの先端がへらの幅方向を基準として一直線に傾斜しているため、従来のものと同様に、へらの先端の頂上部分により突くことで、堅い焦げなどをこそぎ落とすこともできる。
【００１９】
特に、請求項２に記載の発明によれば、へらを竹材から設けたため、金属からなるものにくらべて鍋の内面を傷つけにくい。また、竹材からなるへらの先部に、へらの先端から竹繊維に沿って延びた複数のスリットを形成しているため、へらの先部は各スリットを介して複数に分割される。その結果、清掃具の使用時、指でへらの先部を押さえながら柄を手元へ（身体に近づく方向に）引くことによって、へらの鋭利な先端部分だけでなく、各スリットの内側のエッジの部分でも焦げなどをこそぎ落とすことができる。しかも、各スリットは、屈曲線を中心にして内方へ屈曲したへらの先端から竹繊維に沿って延びているため、各スリットの形成面（へらの先部のへき開面）はねじれ面となっている。これにより、使用時に柄を手元へ引いた際、焦げは各スリットのねじれた形成面のエッジ部分でもそぎ落とされ、この焦げの除去効果が増大する。
また、使用時、上述したように指でへらの先部を押さえながら柄を手元へ引くことによって、例えば堅くて大きい焦げに押し当てられたへらの先部が、焦げの外周縁に沿って弾性変形する。その結果、へらの先端の分割された部分が焦げの外周縁の広範囲に食い込み、焦げとへらの先部との密着性が高まり、この焦げがさらにそぎ落とし易くなる。
さらに、これらのエッジは、へらの先端のエッジとは異なり、フライパンの底面に直接押し付けられないため、使用時に摩耗がしにくく、長期間にわたってその高い汚れ除去効果を維持することができる。
【００２０】
また、請求項３に記載の清掃具ユニットによれば、第１の嵌合部と第２の嵌合部とを利用し、スリットを有したへら付きの第１の清掃具の内側に、山切りカット部を有した別のへら付きの第２の清掃具を、互いのへらの間に隙間をあけて着脱自在に連結している。これにより、仮に除去物が堅い焦げ・錆であっても、この焦げ・錆に対して、第１の清掃具の山切りカット部による粗削りと、第２の清掃具のスリット付きのへらによる仕上げ削りとを順次施し、この焦げを１回の掻き取り操作で容易にこそぎ落とすことができる。
また、第１の清掃具と第２の清掃具は、互いの連結状態を解除することで、機能が異なる２つの清掃具を個別に使用することもできる。
【図面の簡単な説明】
【００２１】
【図１】この発明の実施例１に係る清掃具の斜視図である。
【図２】この発明の実施例１の他の形態に係る清掃具の要拡大斜視図である。
【図３】この発明の実施例１に係る清掃具の使用状態の斜視図である。
【図４】この発明の実施例１に係る清掃具の先部が大きな焦げを除去中に弾性変形している状態を示す概略平面図である。
【図５】この発明の実施例２に係る清掃具の斜視図である。
【図６】この発明の実施例３に係る清掃具の斜視図である。
【発明を実施するための形態】
【００２２】
以下、この発明の実施例を具体的に説明する。ここでは、鍋の一種であるフライパンの底面に付着した焦げの除去に使用される清掃具を例とする。
【実施例】
【００２３】
図１において、１０はこの発明の実施例１に係る清掃具で、この清掃具１０は柄１１の先端部にへら１２を設けたものである。以下、これらの構成体を具体的に説明する。
柄１１とへら１２とは、１本の細長い竹材によって一体的に形成されている。竹材は、真竹を複数に縦割りし、その後、この縦割りしたものを適宜加工することで、長さが１５ｃｍ、幅が２ｃｍ、厚さが５ｍｍの細長い短冊状の竹片としたものである。竹材のうち、長さ方向の一端部（一端から５ｃｍまでの領域）をへら１２とし、残りの部分を柄１１とする。
へら１２は、その元部が先端に向かって徐々に薄肉化され、へら１２の長さ方向の中間部から先端までを厚さ２ｍｍとする。へら１２をこの厚さのものとしたことで、へら１２の先部に対して、堅い焦げ１６の剥離において作用する力に耐え得る剛性と、適度な弾性力とを同時に付与することができる。
【００２４】
また、へら１２の先端は、鋭利な刃物を使用し、へら１２の幅方向を基準として３０°の角度で一直線に傾斜カットされている（へら１２の尖った頂上部の角度は６０°）。そのため、へら１２の先端の表裏側のエッジは鋭利となる。さらに、へら１２の先部は、へら１２の先端と平行な仮想の屈曲線ａを中心にして、へら１２の内方へ約３０°湾曲している。この湾曲したへら１２の先部の長さ（へら１２の先端から屈曲線ａまでの最短距離）は、約１０ｍｍである。なお、このへら１２の先部は、その幅方向の一方側（柄１１を握った状態での右側）に向かって、所定のねじれ角度（例えば２０°〜３０°）でねじってもよい。これにより、使用時、フライパン１３（図３）の湾曲した立ち上げ面に対するへら１２の先端の密着性（フィット性）が高まる。
へら１２の先部には、へら１２の先端から竹繊維に沿って延びる長さ５ｍｍ程度のスリット１４が、へら１２の幅方向に向かって複数形成されている（図１の部分拡大図）。各スリット１４の形成ピッチは約２ｍｍである。なお、へら１２の先部には、堅い焦げ１６の掻きとりが容易なように、へら１２の先端に沿って山切りカット部１５を設けてもよい（図２）。このときの谷の深さは約３ｍｍ、山谷の形成ピッチは約５ｍｍである。各谷の底にはスリット１４が形成されるものの、各スリット１４は省いてもよい。また、山切りカット部１５の各山部分は、へら１２の先端から竹繊維に沿って延びたスリット１４により分割されているため、折れにくい。
【００２５】
次に、図１、図３および図４を参照して、この発明の実施例１に係る清掃具の使用方法を説明する。
清掃具１０を利用してフライパン１３の底面に付着した焦げ１６を除去する際には、まず図３に示すように、人差し指をへら１２の先部の表面に添えて柄１１を握り、その後、へら１２の先端をフライパン１３の底面に押し当てた状態で、焦げ１６の外側部分（身体から最も遠く離れた部分）にへら１２をあてがう。
次に、人差し指に力を加えてへら１２の先部をフライパン１３の底面に強く押し付けながら、柄１１を手元に引く動作を繰り返す。これにより、フライパン１３の底面に付着した焦げ１６がへら１２によってそぎ落とされる。このように、へら１２を竹材から設けたため、金属からなる従来品（特許文献１の「剥離用へら」）のへらに比べて、フライパン１３の底面を傷つけにくい。また、この作業中、仮に焦げ１６の表面上でへら１２の先端が滑っても、清掃具１０の使い方の観点から、へら１２によりフライパン１３の内側面を傷付けにくい。以下、この点について詳細に説明する。
【００２６】
運動機能学から人間の手を考察すれば、柄１１を手元に引く動作時の方が、従来のように柄１１を前方へ押し出す動作時に比べて、瞬間的な手や指の力の制御が容易となる。そのため、仮にフライパン１３の底面に付着した焦げ１６の表面上でへら１２の先端が滑っても、この先端がフライパン１３の内側面に衝突する直前にその移動を止め易い。その結果、焦げ１６の除去中、へら１２の先端がフライパン１３の周側面に衝突して傷付けられにくくなる。また、意に反してへら１２の先部がフライパン１３の内側面に衝突した際も、最初に衝突するのは、へら１２の鋭角な頂上部分ではなく鈍角な柄１１側の角部分であるため、フライパン１３の内側面（内周面）に現出する傷は浅くなる。
また、へら１２の先端がへら１２の幅方向を基準として３０°傾斜し、かつへら１２の先部がへら１２の先端と平行な屈曲線ａを中心にして内方へ３０°屈曲しているため、フライパン１３の平坦な底面だけでなく、フライパン１３の内側面や、この底面と内側面との間の湾曲した立ち上がり部分１３ａにも、へら１２の鋭利な先端を密着させ易い。その結果、この立ち上げ部分１３ａを含めて、フライパン１３の内面全域に付着した焦げ１６や焼きカスを、容易にこそぎ落とすことができる。
さらに、へら１２の先端がへら１２の幅方向を基準として一直線に３０°傾斜しているため、従来のようにへら１２を前方（身体から離れる方向）へ移動させることで、へら１２の先端の頂上部分を利用して、堅い焦げ１６などを突き剥がすこともできる。
また、先端が傾斜したへら１２の先部が内方へ３０°湾曲しているため、掻き取られた焦げ１６などは、順次、へら１２の先端部の内面にガイドされて、へら１２の先端の頂上部分から外方へ排出される。これにより、へら１２の内側空間に汚物が溜まりにくくなり、長時間連続して汚れの除去作業を行うことができる。
【００２７】
さらにまた、へら１２の先部に、へら１２の先端の長さ方向に向かって一定ピッチで複数のスリット１４を形成したため、へら１２の先部が各スリット１４を介して複数に分割される。これにより、清掃具１０の使用時、指でへら１２の先部を押さえながら柄１１を手元へ（身体に近づく方向に）引くことによって、へら１２の鋭利な先端部分だけでなく、各スリット１４の内側のエッジ１４ａの部分でも焦げ１６をこそぎ落とすことができる。しかも、各スリット１４は、屈曲線ａを中心にして内方へ屈曲したへら１２の先端から竹繊維に沿って延びているため、各スリット１４の形成面（へら１２の先部のへき開面）はねじれ面となっている。これにより、使用時、柄１１をへら１２の長さ方向に沿って手元に引くことで、焦げ１６は各スリット１４のねじれた形成面のエッジ部分でもそぎ落とされ、この焦げ１６の除去効果が増大する。各スリット１４の形成面のねじれは、へら１２の先部をねじることで増大することができる。
また、使用時において、上述したように指でへら１２の先部を押さえながら柄１１を手元へ引くことで、例えば堅くて大きい焦げ１６に押し当てられたへら１２の先部が、焦げ１６の外周縁に沿って弾性変形する（図４）。これにより、へら１２の先端の分割された部分が焦げ１６の外周縁の広範囲に食い込み、焦げ１６とへら１２の先部との密着性が高まり、この焦げ１６がさらにそぎ落とし易くなる。
さらに、これらのエッジ１４ａは、へら１２の先端のエッジとは異なり、フライパン１３の底面に直接押し付けられないため、使用時に摩耗がしにくく、長期間にわたってその高い汚れ除去効果を維持することができる。
【００２８】
次に、図５を参照して、この発明の実施例２に係る清掃具を説明する。
図５に示す実施例２の清掃具１０Ａの特徴は、端面の各辺が１２ｍｍ、長さが１０ｃｍ程度の木製の角材を柄１１Ａとし、この柄１１Ａの傾斜した先端面に、長さが５ｃｍ、幅が１２ｍｍ、厚さが１ｍｍ程度の竹片からなる平坦なへら１２Ａを固定することで、柄１１Ａとへら１２Ａとを別部材で構成した点である。
この柄１１Ａの長さ方向の両端面は、互いに平行に傾めカットされた傾斜面である。へら１２Ａの先端の傾斜角度は、へら１２Ａの幅方向を基準にして４５°である。また、へら１２Ａは、その先端と平行な屈曲線ａを中心にして、へら１２Ａは、柄１１を握って使用する状態（図５に示す状態）で、へら１２Ａがその幅方向を基準として右下がりに３０°傾斜している。なお、このへら１２Ａは、柄１１Ａの先端部に、互いに平行に離間した状態で複数枚固定してもよい。
その他の構成、作用および効果は、実施例１から推測可能な範囲であるため、説明を省略する。
【００２９】
次に、図６を参照して、この発明の実施例３に係る清掃具ユニットを説明する。
図６に示すように、実施例３の清掃具ユニットＵの特徴は、実施例１の清掃具１０の柄１１に第１の嵌合部２０を設けた第１の清掃具１０Ｂと、第１の嵌合部２０に着脱自在に嵌合される第２の嵌合部２１を有し、かつ実施例１の清掃具１０のへら１２の先部に、山谷が連続する山切りカット部１５を設けた第２の清掃具１０Ｃとを備えた点である。
第１の嵌合部２０は、第１の清掃具１０Ｂの柄１１の中央部に形成された、表裏面を貫通する楕円孔である。また、第１の嵌合部２１は、第２の清掃具１０Ｃの柄１１の表面の中央部に形成され、かつ楕円孔の第１の嵌合部２０に嵌入される楕円突起である。
使用時、第１の嵌合部２０と第１の嵌合部２１とを嵌合することで、平行に重なる互いのへら１２，１２の間に掻き取りカスが詰らないように５ｍｍの隙間をあけて、第１の清掃具１０Ｂの内側に第２の清掃具１０Ｃが着脱自在に連結される。このとき、第1の清掃具１０Ｂのへら１２の先端と、第２の清掃具１０Ｃのへら１２の先端とは、へら１２の長さ方向だけでなく、第２の清掃具１０Ｃの柄１１の厚み分（５ｍｍ）だけ、へら１２の厚さ方向に位置ずれしている。これにより、使用時には、両へら１２の先端をフライパン１３の内面に同時に当接させる必要から、必然的に清掃具ユニットＵを斜めにして使用することになる。その結果、両へらの先端をフライパン１３の内面に対して垂直に押し当てる構成とした清掃具ユニットに比べて、フライパン１３の内面への両へら１２の先端のフィット性が高まる。
【００３０】
このように構成したことで、フライパン１３に付着した汚れが仮に堅い焦げ１６であっても、この焦げ１６に対して、まず第１の清掃具１０Ｂの山切りカット部１５により粗削り（筋入れ）が行われ、続いて第２の清掃具１０Ｃのスリット１４付きのへら１２により仕上げ削りがなされることで、この堅い焦げ１６を１回の掻き取り操作でフライパン１３の底面から容易にこそぎ落とすことができる。
また、清掃具ユニットＵにあっては、第１の嵌合部２０と第１の嵌合部２１とを利用した互いの連結状態を解除することで、機能が異なる第１の清掃具１０Ｂと第２の清掃具１０Ｃとを個別に使用することもできる。
その他の構成、作用および効果は、実施例１とほぼ同様であるため、説明を省略する。
【産業上の利用可能性】
【００３１】
この発明の清掃具は、フライパンを含む鍋の内面に付着した焦げ、焼きカス、ごみなどをこそぎ落とすための技術として有用である。
【符号の説明】
【００３２】
１０，１０Ａ  清掃具、
１０Ｂ  第１の清掃具、
１０Ｃ  第２の清掃具、
１１，１１Ａ  柄、
１２，１２Ａ  へら、
１４  スリット、
２０  第１の嵌合部、
２１  第２の嵌合部、
Ｕ  清掃具ユニット、
ａ  屈曲線。
【図１】
2015205031.tif 000003
【図２】
2015205031.tif 000004
【図３】
2015205031.tif 000005
【図４】
2015205031.tif 000006
【図５】
2015205031.tif 000007
【図６】
2015205031.tif 000008